(57)【要約】【課題】安価な構成でリレーの接点の熔着を防止してウィンドシールドガラスの払拭面に効率よくウォッシャ液を噴射可能なワイパ・ウォッシャ制御装置を提供することを目的とする。【解決手段】下反転位置と上反転位置との間で往復回動されるワイパアームの回動方向両側からウォッシャ液を噴射するためのウォッシャモータＭに接続され、予め定めた駆動信号によってウォッシャ液を噴射する方向を切り換えるためのリレーＲＡ、ＲＢを含むリレー回路３４と、ワイパアームを回動させるワイパモータＷＭの回転に連動したカムに設けられたスイッチであって、ワイパアームの回動位置に応じて設定されると共に、リレーのオン時間が所定時間以上継続するように設定された信号を駆動信号として出力するカムスイッチ３２と、リレー回路３４に接続された、ウォッシャモータＭを駆動するためのウォッシャスイッチｗＳＷと、を含む。【選択図】図１
2015123877.tif 000002
【特許請求の範囲】
【請求項１】
下反転位置と上反転位置との間で往復回動されるワイパアームの往復の双方の回動方向へウォッシャ液を噴射するためのウォッシャモータに接続され、予め定めた駆動信号によって前記ウォッシャモータがウォッシャ液を噴射する方向を切り換えるためのリレーを含むリレー回路と、
前記ワイパアームを回動させるワイパモータの回転に連動したカムに設けられたスイッチであって、前記ワイパアームの回動位置に応じて設定されると共に前記リレーのオン時間が所定時間以上継続するように設定された信号を前記駆動信号として出力するカムスイッチと、
前記リレー回路に接続された、前記ウォッシャモータを駆動するためのウォッシャスイッチと、
を含むワイパ・ウォッシャ制御装置。
【請求項２】
前記カムスイッチは、固定接点と、前記ワイパモータの回転に連動して移動して前記ワイパアームの予め定めた回動領域で前記固定接点と接触することにより前記リレーをオン／オフするためのプリントパターンとを備えた請求項１に記載のワイパ・ウォッシャ制御装置。  
【請求項３】
前記リレー回路は、前記リレーの励磁電圧を低下する定電圧回路を更に含む請求項１又は請求項２に記載のワイパ・ウォッシャ制御装置。
【発明の詳細な説明】
【技術分野】
【０００１】
本発明は、ワイパブレードの位置に応じてウォッシャ液の噴射を制御するワイパ・ウォッシャ制御装置に関する。
【背景技術】
【０００２】
ウォッシャ液は、ワイパブレードの位置に応じて噴射することにより、フロントウインドシールドガラスへ効率的にウォッシャ液を供給することができる。
【０００３】
例えば、特許文献１に記載の技術では、ウォッシャ液噴射モータの駆動を電磁リレーを介して行う構成として、ワイパブレードの位置検出信号を出力するブレード位置検出手段と、ウォッシャ連動動作の際に、位置検出信号に応じて電磁リレーを制御して、ウォッシャ液の噴射又は噴射停止を行う制御手段と、を設けることが提案されている。これにより、ワイパブレードの位置に応じて、ウォッシャ液をウィンドシールドガラスの払拭面に効率よく供給できる。
【先行技術文献】
【特許文献】
【０００４】
【特許文献１】特開平１０−３２９６５６号公報
【発明の概要】
【発明が解決しようとする課題】
【０００５】
しかしながら、特許文献１に記載の技術では、制御手段によって電磁リレーを制御する構成とされているため、コストアップとにつながり、改善の余地がある。
【０００６】
また、モータ駆動において、リレーを使用する際には、リレーが瞬間的にオン／オフすると接点に発生したアークを遮断することができず、電源とグランド（ＧＮＤ）間にデッドショートを発生させてしまい、接点が熔着する虞がある。そこで、これを防止するためにリレーオンを一定時間保持する保護回路等が必要となるが、保護回路を追加することによりコストアップになってしまう。
【０００７】
本発明は、上記事実を考慮し、安価な構成でリレーの接点の熔着を防止してウィンドシールドガラスの払拭面に効率よくウォッシャ液を噴射可能なワイパ・ウォッシャ制御装置を提供することを目的とする。
【課題を解決するための手段】
【０００８】
請求項１に記載のワイパ・ウォッシャ制御装置は、下反転位置と上反転位置との間で往復回動されるワイパアームの往復の双方の回動方向へウォッシャ液を噴射するためのウォッシャモータに接続され、予め定めた駆動信号によって前記ウォッシャモータがウォッシャ液を噴射する方向を切り換えるためのリレーを含むリレー回路と、前記ワイパアームを回動させるワイパモータの回転に連動したカムに設けられたスイッチであって、前記ワイパアームの回動位置に応じて設定されると共に前記リレーのオン時間が所定時間以上継続するように設定された信号を前記駆動信号として出力するカムスイッチと、前記リレー回路に接続された、前記ウォッシャモータを駆動するためのウォッシャスイッチと、を含んでいる。
【０００９】
請求項１に記載のワイパ・ウォッシャ制御装置によれば、下反転位置と上反転位置との間で往復回動されるワイパアームの往復の双方の回動方向へウォッシャ液がウォッシャモータを駆動することにより噴射される。
【００１０】
ウォッシャモータは、リレー回路に接続されており、該リレー回路は、予め定めた駆動信号によってウォッシャモータがウォッシャ液を噴射する方向を切り換えるためのリレーを含んでいる。すなわち、駆動信号によってリレーが駆動されことによってウォッシャモータのウォッシャ液を噴射する方向が切り換えられる。
【００１１】
また、カムスイッチは、ワイパアームを回動させるワイパモータの回転に連動したカムに設けられたスイッチであって、ワイパアームの回動位置に応じて設定されると共にリレーのオン時間が所定時間以上継続するように設定された信号を駆動信号として出力する。すなわち、カムスイッチから出力される駆動信号によってリレーが駆動される。また、カムスイッチはワイパモータの回転に連動しているので、ワイパモータが回転しているときには常に駆動信号が出力されてリレーが駆動される。
【００１２】
例えば、カムスイッチから出力される駆動信号によって、下反転位置から上反転位置へワイパアームが回動する際には、往復の回動方向のうち上反転位置方向へウォッシャ液を噴射するように切り換え、上反転位置から下反転位置へワイパアームが回動する際には、往復の回動方向のうち下反転位置方向へウォッシャ液を噴射するように切り換えるリレーを駆動することができる。
【００１３】
そして、リレー回路に接続されたウォッシャスイッチによって、ウォッシャモータの駆動が行われる。すなわち、カムスイッチはワイパモータの回転に連動しているので、ワイパモータが回転しているときには常に駆動信号が出力されてリレーが駆動されるが、ウォッシャスイッチによってウォッシャモータが駆動された場合のみウォッシャが噴射される。
【００１４】
このように構成することにより、ウォッシャ液の噴射方向を切り換えるリレーの作動と、ウォッシャスイッチの作動とをそれぞれ独立させることができ、リレーがオンしてから所定時間オンを継続するように設定された駆動信号を出力するカムスイッチとすることが可能となる。すなわち、リレーがオンしてから所定時間オンが継続されるので、保護回路等の高価な回路を設けることなく、リレーの接点の熔着を防止することができる。
【００１５】
また、カムスイッチから出力される、ワイパアームの回動位置に応じた駆動信号によって、ウォッシャ液の噴射方向が切り換えられるので、ウインドシールドガラスの払拭面に効率よくウォッシャ液を噴射することが可能となる。
【００１６】
請求項２に記載のワイパ・ウォッシャ制御装置は、請求項１に記載のワイパ・ウォッシャ制御装置において、前記カムスイッチが、固定接点と、前記ワイパモータの回転に連動して移動して前記ワイパアームの予め定めた回動領域で前記固定接点と接触することにより前記リレーをオン／オフするためのプリントパターンとを備えている。
【００１７】
上記構成のワイパ・ウォッシャ制御装置によれば、カムスイッチが、固定接点と、ワイパモータに連動して移動するプリントパターンとを備えた簡単な構成であるため、安価な構成でリレー回路の駆動信号を生成することができる。
【００１８】
請求項３に記載のワイパ・ウォッシャ制御装置は、請求項１又は請求項２に記載のワイパ・ウォッシャ制御装置において、前記リレー回路が、前記リレーの励磁電圧を低下する定電圧回路を更に含む。
【００１９】
上記構成のワイパ・ウォッシャ制御装置によれば、定電圧回路によってリレー回路に含まれるリレーの励磁電圧が低下されるので、リレーの作動音を抑制することができる。
【図面の簡単な説明】
【００２０】
【図１】本発明の実施の形態に係るワイパ・ウォッシャ制御装置の制御対象となる車両用ワイパ装置の全体を示す払拭面の外側から見た平面図である。
【図２】ウォッシャ液を噴射するポンプの一例を示す断面図である。
【図３】（Ａ）はワイパブレードが回動方向一方側へ回動されている途中の状態を示す平面図であり、（Ｂ）はワイパブレードが回動方向他方側へ回動されている途中の状態を示す平面図である。
【図４】本発明の実施の形態に係るワイパ・ウォッシャ制御装置の概略構成を示す回路図である。
【図５】ワイパブレードの払拭方向及びウォッシャの噴射の有無の領域毎の、Ｗ１端子の状態、Ｗ２端子の状態、及び２つのリレーの状態を示す表である。
【図６】カムスイッチの２つのスイッチＳＷ１、ＳＷ２のプリントパターンの一例を説明するためのタイミングチャートである。
【図７】本実施の形態に係るワイパ・ウォッシャ制御装置に対して、抵抗とツェナーダイオードによる定電圧回路を追加した例を示す回路図である。
【発明を実施するための形態】
【００２１】
以下、図面を参照して本発明の実施の形態の一例を詳細に説明する。図１は、本発明の実施の形態に係るワイパ・ウォッシャ制御装置の制御対象となる車両用ワイパ装置の全体を示す払拭面の外側から見た平面図である。
【００２２】
図１に示すように、車両用ワイパ装置１０は、略長尺状のワイパアーム１２と、車両（自動車）のウィンドシールドガラスＷＧを払拭するワイパブレード１４と、ワイパブレード１４の振れ（振動）を抑制するステー１６と、を含んで構成されている。また、車両用ワイパ装置１０は、ワイパアーム１２の先端部付近に設けられた第１メインノズル１８及び第２メインノズル２０と、含んで構成されている。
【００２３】
ワイパアーム１２は、ワイパアーム１２の基端部分を構成するアームヘッド１２Ａと、ワイパアーム１２の長手方向中間部を構成するリテーナ１２Ｂと、ワイパアーム１２の先端部分を構成するアームピース１２Ｃ及びアーム側連結部材１２Ｄと、を含んで構成されている。
【００２４】
アームヘッド１２Ａは、略矩形柱状に形成されており、例えばアルミダイキャスト製とされている。このアームヘッド１２Ａの基端部には、固定部１５が形成されており、固定部１５には、略円柱形状のピボット軸１７の先端部が締結固定されている。このピボット軸１７は、車両のフレーム等に固定されたピボットホルダ（図示省略）に回動自在に支持されると共に、リンク機構を介してワイパモータ（図示省略）に連結されている。そして、ワイパモータの駆動力によってピボット軸１７が往復回動することで、ワイパアーム１２が、下反転位置としての停止位置（図１に示される位置）と上反転位置（図１の１点鎖線参照）との間を往復回動するようになっている。なお、ワイパアーム１２が、停止位置から上反転位置へ向かう方向（図１の矢印Ａ方向）が回動方向一方側とされており、上反転位置から停止位置へ向かう方向（図１の矢印Ｂ方向）が回動方向他方側とされている。
【００２５】
一方、ワイパブレード１４は、略長尺状に形成されると共に、ワイパアーム１２と長手方向に並んで配置されており、ワイパブレード１４の長手方向中央部が、連結レバー１９を介してワイパアーム１２のアーム側連結部材１２Ｄの先端部に連結されている。これにより、払拭面Ｓに対して直交する方向から見て、ワイパブレード１４が、ワイパアーム１２（のアーム側連結部材１２Ｄを除く部分）に対して、回動方向一方側に配置されている。
【００２６】
また、第１メインノズル１８及び第２メインノズル２０からは、ウォッシャ液が噴射される。本実施の形態では、ワイパアーム１２が回動方向一方側へ回動する際に、後述するウォッシャスイッチｗＳＷ（図４参照）が操作されたときに、第１メインノズル１８からウォッシャ液を噴射し、ワイパアーム１２が回動方向他方側へ回動する際に、ウォッシャスイッチｗＳＷが操作されたときに、第２メインノズル２０からウォッシャ液を噴射するようになっている。
【００２７】
ここで、ウォッシャ液を噴射するためのポンプについて説明する。図２は、ウォッシャ液を噴射するポンプの一例を示す断面図である。
【００２８】
ポンプ２２は、車両のエンジンルーム内に配設されたウォッシャタンク内に設けられており、ウォッシャタンク内のウォッシャ液を吸い上げるようになっている。また、上述の第１メインノズル１８及び第２メインノズル２０の各々と、図示しないホースを介してポンプ２２が接続されている。
【００２９】
ポンプ２２は、ポンプ本体２４と、バルブ装置７０と、を含んで構成されている。また、ポンプ本体２４は、ハウジング２６と、ハウジング内に収容されたウォッシャモータ（図示省略）と、インペラ８０と、を含んで構成されている。
【００３０】
ハウジング２６は、樹脂材により構成されて、インレット５０と、ポンプ室５４と、第１アウトレット６０と、第２アウトレット６２と、を含んで構成されている。
【００３１】
インレット５０は、ウォッシャタンクに挿入され、ポンプ２２によってウォッシャタンク内のウォッシャ液がポンプ室５４まで吸い上げられるようになっている。
【００３２】
ポンプ室５４には、インベラ８０が収容されており、インペラ８０はウォッシャモータの回転軸４１の先端部に一体回転可能に組付けられている。
【００３３】
第１アウトレット６０及び第２アウトレット６２は、ハウジング２６の下端部に配置されている。この第１アウトレット６０及び第２アウトレット６２は、互いに平行に配置されて、それぞれの内部は、それぞれ第１吐出通路６０Ａ及び第２吐出通路６２Ａとされている。第１吐出通路６０Ａ及び第２吐出通路６２Ａはポンプ室５４内と連通されている。
【００３４】
また、第１吐出通路６０Ａ及び第２吐出通路６２Ａは、バルブ装置７０に接続されている。バルブ装置７０は、第１アウトレット６０及び第２アウトレット６２に嵌着されたバルブハウジング７１を備えており、このバルブハウジング７１は、第１分割ハウジング７２と第２分割ハウジング７４とを含んで構成されている。また、第１分割ハウジング７２と第２分割ハウジング７４との間には、ゴム材等の弾性部材により構成された弁体７６が組付けられている。そして、第１分割ハウジング７２及び第２分割ハウジング７４の内部がそれぞれ第１バルブ室７２Ａ及び第２バルブ室７４Ａとされており、第１バルブ室７２Ａ及び第２バルブ室７４Ａが弁体７６により区画されている。また、第１バルブ室７２Ａ及び第２バルブ室７４Ａは、それぞれ第１吐出通路６０Ａ及び第２吐出通路６２Ａに連通されている。
【００３５】
また、第１分割ハウジング７２及び第２分割ハウジング７４には、それぞれ第１吐出部７２Ｂ及び第２吐出部７４Ｂが一体に形成されている。そして、第１吐出部７２Ｂが第１メインノズル１８に接続されるホースに接続され、第２吐出部７４Ｂが第２メインノズル２０に接続されるホースに接続されている。
【００３６】
すなわち、インペラ８０が一方の方向（図２等に示す矢印Ｃ方向側）へ回転されると、第１バルブ室７２Ａ内及と第２バルブ室７４Ａ内との圧力差により弁体７６が第２吐出部７４Ｂ側に押し付けられて第２吐出部７４Ｂを閉鎖して、ウォッシャタンク内のウォッシャ液が第１吐出部７２Ｂを介して第１メインノズル１８へ圧送されるようになっている。一方、インペラ８０が他方の方向（図２等に示す矢印Ｄ方向側）へ回転されると、第１バルブ室７２Ａ内及と第２バルブ室７４Ａ内との圧力差により弁体７６が第１吐出部７２Ｂ側に押し付けられて第１吐出部７２Ｂを閉鎖して、ウォッシャタンク内のウォッシャ液が第２吐出部７４Ｂを介して第２メインノズル２０へ圧送されるようになっている。
【００３７】
本発明では、図３（Ａ）に示すように、ワイパアーム１２が回動方向一方側（図３（Ａ）の矢印Ａ方向）へ回動する際に、後述するウォッシャスイッチｗＳＷ（図４参照）が操作されたときには、インペラ８０が一方の方向へ回転されて第１メインノズル１８からウォッシャ液を噴射し、図３（Ｂ）に示すように、ワイパアーム１２が回動方向他方側（図３（Ｂ）の矢印Ｂ方向）へ回動する際に、ウォッシャスイッチが操作されたときには、インペラ８０が他方の方向へ回転されて第２メインノズル２０からウォッシャ液を噴射するようになっている。
【００３８】
続いて、本発明のワイパ・ウォッシャ制御装置３０の構成について説明する。図４は、本発明の実施の形態に係るワイパ・ウォッシャ制御装置の概略構成を示す回路図である。
【００３９】
ワイパカムスイッチ３２、リレー回路３４、ウォッシャスイッチ回路３６、及びウォッシャモータＭを含んで構成されている。
【００４０】
ワイパカムスイッチ３２は、ワイパモータＷＭに設けられており、ワイパブレード１４の払拭位置に応じてウォッシャモータＭの回転方向を切り換えるための２つのスイッチＳＷ１、ＳＷ２を含んで構成されている。２つのスイッチＳＷ１、ＳＷ２はそれぞれ一端が接地され、２つのスイッチのうち一方のスイッチＳＷ１の他端はＷ１端子に接続され、他方のスイッチＳＷ２の他端はＷ２端子に接続されている。なお、ワイパカムスイッチ３２の２つのスイッチＳＷ１、ＳＷ２は、一端が固定端子とされて、他端はワイパモータＷＭの回転に連動して回転するカムに設けられたプリントパターンとされて、カムの回転移動によって固定端子とプリントパターンが接触するように構成されている。また、ワイパカムスイッチ３２には、この他に、停止位置を検出するための固定端子と、上記カムに設けられた停止位置検出用のプリントパターン等を有する。
【００４１】
リレー回路３４は、複数の端子（本実施の形態では、＋Ｂ端子、Ｗ１端子、Ｗ２端子、及びＷＥ端子）を備えていると共に、電磁リレーからなる２つのリレーＲＡ、ＲＢを備えている。リレー回路３４は、ウォッシャモータＭによってウォッシャ液を噴射するノズルを第１メインノズル１８又は第２メインノズル２０に切り換える機能を有している。
【００４２】
＋Ｂ端子には、車両のバッテリＢＴの正電極が、イグニッションスイッチＩＧ及びヒューズＨを介して接続されており、ウォッシャモータＭに電源電圧が印加されるようになっている。なお、バッテリＢＴの負電極は接地（ボディアース）されている。
【００４３】
Ｗ１端子は、ワイパカムスイッチ３２のＷ１端子と接続され、Ｗ２端子は、同様に、ワイパカムスイッチ３２のＷ２端子と接続されている。
【００４４】
ＷＥ端子は、ウォッシャスイッチ回路３６に接続されている。ウォッシャスイッチ回路３６は、ウォッシャ液をウインドシールドガラスＷＧへ噴射させるためのウォッシャスイッチｗＳＷ、及びウォッシャ液の噴射とワイパモータＷＭの駆動とを連動させるウォッシャ連動回路３８を備えている。ウォッシャ連動回路３８には、ワイパモータＷＭのオンオフを行うためのワイパスイッチ３７が接続されている。なお、図４では、ワイパスイッチ３７を間略して示すが、詳細には、周知技術のように、異なる２つの速度でワイパモータＷＭを駆動したり、間欠駆動したりするための構成等が含まれる。
【００４５】
また、＋Ｂ端子には、抵抗Ｒ１が接続されていると共に、２つのリレーＲＡ、ＲＢの各々のコイル部の一端及びスイッチ部の一端が接続されている。なお、２つのリレーＲＡ、ＲＢのスイッチ部は３接点とされ、リレーＲＡのスイッチ部の１つの接点がウォッシャモータＭの一端に接続され、リレーＲＢのスイッチ部の１つの接点がウォッシャモータＭの他端に接続されている。そして、ウォッシャモータＭに接続された接点と、残りの２つの接点への切り換えがコイル部の通電によって行われるようになっている。
【００４６】
抵抗Ｒ１の他端は、ＷＥ端子に接続され、リレーＲＡのコイル部分の他端はＷ１端子に接続され、リレーＲＢのコイル部分の他端はＷ２端子に接続されている。すなわち、本実施の形態では、Ｗ１端子に接続されたワイパカムスイッチ３２のスイッチＳＷ１のオン／オフがリレーＲＡの駆動信号として機能し、Ｗ２端子に接続されたワイパカムスイッチ３２のスイッチＳＷ２のオン／オフがリレーＲＢの駆動信号として機能する。
【００４７】
また、＋Ｂ端子には、リレーＲＡ、ＲＢの各々のスイッチ部のウォッシャモータＭに接続された接点以外の一方の接点が接続されている。
【００４８】
リレーＲＡ、ＲＢの各々のスイッチ部のウォッシャモータＭに接続された接点以外の他方の接点は、ＷＥ端子に接続されている。
【００４９】
また、リレーＲＡ、ＲＢの各々のスイッチ部には、直列に接続された抵抗Ｒ２とコンデンサＣがウォッシャモータＭと並列に接続されている。
【００５０】
なお、図４では、ワイパカムスイッチ３２のスイッチＳＷ１がオフ、ワイパカムスイッチ３２のスイッチＳＷ２がオフの状態を示し、この場合には、リレーＲＡが＋Ｂ端子側となり、リレーＲＢがＷＥ端子側（接地側）となるものとして説明する。また、以下の説明では、リレーＲＡは、＋Ｂ端子側に切り換えられた状態をオフと称し、ＷＥ端子側へ切り換えられた状態をオンと称する。また、リレーＲＢは、＋Ｂ端子側に切り換えられた状態をオンと称し、ＷＥ端子側へ切り換えられた状態をオフと称する。
【００５１】
ここで、ワイパカムスイッチ３２の２つのスイッチＳＷ１、ＳＷ２の接点とプリントパターンについて説明する。図５は、ワイパブレードの払拭方向及びウォッシャの噴射の有無の領域毎の、Ｗ１端子の状態、Ｗ２端子の状態、及び２つのリレーＲＡ、ＲＢの状態を示す表であり、図６は、ワイパカムスイッチ３２の２つのスイッチＳＷ１、ＳＷ２のプリントパターンの一例を説明するためのタイミングチャートである。なお、本実施の形態では、ウォッシャスイッチｗＳＷがオンされても噴射されない領域を有する。当該領域は、例えば、上下反転位置付近の一部の領域を適用することができる。
【００５２】
図５に示すように、本実施の形態では、ワイパブレードの払拭方向がオープン（ワイパアームが回動方向一方側へ回動する方向）の場合に、ウォッシャスイッチｗＳＷがオンされてウォッシャ液を噴射する領域の場合には、ワイパカムスイッチ３２のスイッチＳＷ１がオフとされてＷ１端子がオフとなり、ワイパカムスイッチ３２のスイッチＳＷ２がオフにされてＷ２端子がオフとなり、リレーＲＡがオフしてリレーＲＢがオフするように、ワイパカムスイッチ３２のプリントパターンが設定されている。また、オープン方向におけるウォッシャスイッチｗＳＷがオンされてもウォッシャ液を噴射しない領域では、ワイパカムスイッチ３２のスイッチＳＷ１がオンとされてＷ１端子がオンとなり、ワイパカムスイッチ３２のスイッチＳＷ２がオフにされてＷ２端子がオフになり、リレーＲＡがオンしてリレーＲＢがオフするようにワイパカムスイッチ３２のプリントパターンが設定されている。
【００５３】
一方、ワイパブレードの払拭方向がクローズ（ワイパアームが回動方向他方側へ回動する方向）の場合に、ウォッシャスイッチｗＳＷがオンされてウォッシャ液を噴射する領域の場合には、ワイパカムスイッチ３２のスイッチＳＷ１がオンされてＷ１端子がオンとなり、ワイパカムスイッチ３２のスイッチＳＷ２がオンされてＷ２端子がオンとなり、リレーＲＡがオンしてリレーＲＢがオンするようにワイパカムスイッチ３２のプリントパターンが設定されている。また、オープン方向におけるウォッシャスイッチｗＳＷがオンされてもウォッシャ液を噴射しない領域では、ワイパカムスイッチ３２のスイッチＳＷ１がオンされてＷ１端子がオンになり、ワイパカムスイッチ３２のスイッチＳＷ２がオフされてＷ２端子がオフになり、リレーＲＡがオンしてリレーＲＢがオフするようにワイパカムスイッチ３２のプリントパターンが設定されている。
【００５４】
すなわち、ワイパカムスイッチ３２のそれぞれの固定端子Ｗ１、Ｗ２を、図６のワイパカムスイッチパターンとして示すように、ワイパ停止位置に配置したときに、ワイパカムスイッチ３２のプリントパターンが、図６のワイパカムスイッチパターンとして示すように、ワイパ停止位置から上反転位置へ到達する前に、スイッチＳＷ１がオンして、その後の上反転位置へ到達する前に、スイッチＳＷ２がオンすると共に、上反転位置で反転してからワイパ停止位置へ到達する前に、スイッチＳＷ２がオフして、その後のワイパ停止位置へ到達する前に、スイッチＳＷ１がオフするパターンとされている。これにより、各スイッチのオン／オフに連動して２つのリレーＲＡ、ＲＢがオン／オフする。なお、本実施の形態では、ワイパカムスイッチのプリントパターンは図６に示すように接地されている。
【００５５】
そして、本実施の形態では、スイッチＳＷ１、ＳＷ２の各々は、オンしてからリレーのワイピング作用（接点が接触した後すべり動作をすることにより接点表面上に生成した皮膜、じんあいの影響を軽減する作用）が可能な所定時間はオン状態が継続するようにプリントパターンが形成されている。本実施の形態では、噴射方向を切り換えるリレーＲＡ、ＲＢと、ウォッシャスイッチｗＳＷの作動とをそれぞれ独立させているので、当該所定時間を設けることができる。
【００５６】
続いて、本実施の形態に係るワイパ・ウォッシャ制御装置３０の動作について説明する。
【００５７】
本実施の形態では、ワイパモータＷＭが動作をすると、ワイパカムスイッチ３２の２つのスイッチＳＷ１、ＳＷ２が上述のプリントパターン（図６のワイパカムスイッチパターン）に従ってオン／オフする。
【００５８】
すなわち、ワイパモータＷＭが１回転する間に、ワイパカムスイッチ３２のスイッチＳＷ１、ＳＷ２が、図６のタイミングチャートで示すように、オンオフを繰り返す。
【００５９】
ここで、ウォッシャスイッチｗＳＷがオンされると、ワイパカムスイッチ３２のスイッチＳＷ１、ＳＷ２の状態に応じてウォッシャモータＭの作動及びその方向が制御される。
【００６０】
すなわち、図６のタイミングチャートで示すように、ワイパ停止位置から上反転位置へ到達する前までは、ワイパカムスイッチ３２の２つのスイッチＳＷ１、ＳＷ２は共にオフとなり、Ｗ１端子及びＷ２端子も共にオフとなってリレーＲＡ、ＲＢが共にオフされる。この状態のときに、ウォッシャスイッチｗＳＷがオンされると、＋Ｂ端子からリレーＲＡ、ウォッシャモータＭ、リレーＲＢ、ＷＥ端子、及びウォッシャスイッチｗＳＷを介して電流が流れてウォッシャモータＭが回転する。これにより、インペラ８０が一方の方向へ回転されて、図３（Ａ）に示すように、第１メインノズル１８からウォッシャ液が噴射される。
【００６１】
また、上反転位置へ到達する前に、ワイパカムスイッチ３２のスイッチＳＷ２はオフのままスイッチＳＷ１のみがオンとなってＷ１端子がオンとなる。従って、リレーＲＡはオンとなり、リレーＲＢはオフとなる。この状態のときに、ウォッシャスイッチｗＳＷがオンされると、ウォッシャモータＭと２つのリレーＲＡ、ＲＢとで閉ループが形成されて電流が流れないので、ウォッシャ液が噴射されない。
【００６２】
次に、ワイパカムスイッチ３２のスイッチＳＷ１がオンしてから上反転位置へ到達する前に、ワイパカムスイッチ３２のスイッチＳＷ２もオンとなってＷ２端子もオンとなる。この状態のときに、ウォッシャスイッチｗＳＷがオンされると、＋Ｂ端子からリレーＲＢ、ウォッシャモータＭ、リレーＲＡ、ＷＥ端子、及びウォッシャスイッチｗＳＷを介して電流が流れてウォッシャモータＭが回転する。これにより、インペラ８０が他方の方向へ回転されて、図３（Ｂ）に示すように、第２メインノズル２０からウォッシャ液が噴射される。
【００６３】
続いて、上反転位置を通過してワイパ停止位置へ到達する前に、ワイパカムスイッチ３２のスイッチＳＷ１はオンのままスイッチＳＷ２のみがオフとなってＷ１端子がオン、Ｗ２端子がオフとなる。従って、リレーＲＡはオン、リレーＲＢはオフとなる。この状態のときに、ウォッシャスイッチｗＳＷがオンされると、ウォッシャモータＭと２つのリレーＲＡ、ＲＢとで閉ループが形成されて電流が流れないので、ウォッシャ液が噴射されない。
【００６４】
次に、ワイパカムスイッチ３２のスイッチＳＷ２がオフしてからワイパ停止位置へ到達する前に、ワイパカムスイッチ３２のスイッチＳＷ１もオフとなってＷ２端子もオフとなる。この状態のときに、ウォッシャスイッチｗＳＷがオンされると、＋Ｂ端子からリレーＲＡ、ウォッシャモータＭ、リレーＲＢ、ＷＥ端子、及びウォッシャスイッチｗＳＷを介して電流が流れてウォッシャモータＭが回転する。これにより、インペラ８０が一方の方向へ回転されて、第１メインノズル１８からウォッシャ液が噴射される。
【００６５】
このように、本実施の形態に係るワイパ・ウォッシャ制御装置３０は、ワイパモータＷＭと連動して回動するワイパカムスイッチ３２の信号を用いて、ウォッシャモータＭを駆動するためのリレーＲＡ、ＲＢを駆動するようにしている。すなわち、本実施の形態に係るワイパ・ウォッシャ制御装置３０は、ワイパモータＷＭが作動しているときは常時、ワイパカムスイッチ３２の信号に連動してリレーＲＡ、ＲＢを作動させて、ウォッシャスイッチｗＳＷがオンされたときのみ、リレー接点に電流を流してウォッシャモータＭを駆動する構成となっている。これにより、ウォッシャ液の噴射方向を切り換えるリレー作動と、ウォッシャスイッチｗＳＷの作動をそれぞれ独立させることができ、リレーＲＡ、ＲＢをオンしてから所定時間オンを継続する時間を設けることが可能となる。従って、デッドショート等を防止するための保護回路が不要となる。
【００６６】
以上、本発明の一実施形態について説明したが、本発明は、上記に限定されるものでなく、上記以外にも、その主旨を逸脱しない範囲内において種々変形して実施可能であることは勿論である。
【００６７】
なお、本実施の形態に係るワイパ・ウォッシャ制御装置３０では、ワイパモータＷＭに連動して、リレー回路３４のリレーＲＡ、ＲＢが常にオン／オフを繰り返すため、リレーＲＡ、ＲＢの作動音により不快感を与える可能性がある。そこで、リレーＲＡ、ＲＢの作動音を低減させるための定電圧回路を追加するようにしてもよい。例えば、図７に示すように、上記の実施の形態に対して、＋Ｂ端子と接地間に、リレーＲＡ、ＲＢのコイル部と並列に、定電圧回路４０を追加するようにしてもよい。図７の例では、抵抗Ｒ３とツェナーダイオードＤによる定電圧回路を追加した例を示す。このように、定電圧回路４０を追加することにより、リレーＲＡ、ＲＢの励磁電圧が低減されて、リレー作動音を低減させることができる。
【００６８】
また、上記の実施の形態では、ウォッシャモータＭの回転方向をリレー回路３４によって切り換えることにより、ウォッシャ液の噴射方向を切り換えるようにしたが、ウォッシャ液の噴射方向の切り換え方法は、これに限るものではなく、例えば、噴射方向毎にウォッシャモータを設けてリレー回路３４によって駆動するモータを選択するようにしてもよい。
【符号の説明】
【００６９】
１０・・・車両用ワイパ装置、１２・・・ワイパアーム、３２・・・ワイパカムスイッチ、３４・・・リレー回路、３６・・・ウォッシャスイッチ回路、ｗＳＷ・・・ウォッシャスイッチ、ＲＡ・・・リレー、ＲＢ・・・リレー、ＷＭ・・・ワイパモータ、Ｍ・・・ウォッシャモータ
【図１】
2015123877.tif 000003
【図２】
2015123877.tif 000004
【図３】
2015123877.tif 000005
【図４】
2015123877.tif 000006
【図５】
2015123877.tif 000007
【図６】
2015123877.tif 000008
【図７】
2015123877.tif 000009